(57)【要約】      （修正有）【課題】連結部材を用いずに簡単に組立てが可能な組立式家具を提供する。【解決手段】組立式家具は、２つの長尺面３２を有する断面略Ｌ字型の縦フレーム３０と、縦フレームと連結する横フレーム４０とを有する。縦フレームは、長尺面の長辺が折り返された折返し面３４に、大径部３６ａと、小径部３６ｂとを備えた連結孔３６を有する。横フレームは、ピン頭部４２ａとピン首部４２ｂとを備える２つのジョイントピン４２を、それぞれ両端に有する。ピン頭部を大径部に挿入し押圧することで、ピン首部を小径部に嵌め込み、縦フレームと横フレームを連結する。ピン頭部は折返し面と長尺面との間隙に位置し外面に露出しない。【選択図】図３
0003178587.tif 000002
【実用新案登録請求の範囲】
【請求項１】
２つの長尺面を有する断面略Ｌ字型の縦フレームと、
前記縦フレームと連結する横フレームと、を有する組立式家具において、
前記縦フレームは、
前記２つの長尺面の長辺が内側に折り返されて構成された折返し面と、
前記折返し面の長辺方向に沿って等間隔に形成され、大径部と小径部とを備えた連結孔と、を有し、
前記横フレームの両端には、短辺方向に沿って前記連結孔と同じ間隔で形成された２つのジョイントピンをそれぞれ有し、
前記ジョイントピンはピン頭部と前記小径部と略同等径のピン首部とを備え、
前記ピン頭部を前記連結孔の大径部から挿入し、下方に押圧することで前記ピン首部を前記小径部に嵌め込み、これにより前記縦フレームと前記横フレームとを連結するとともに、前記ピン頭部は前記折返し面と前記長尺面との間隙に位置して外面に露出しないことを特徴とする組立式家具。
【請求項２】
縦フレームを縦方向に連結する際に、上側の１の縦フレームと下側の２の縦フレームとの間に連結ジョイントを嵌入し、前記１の縦フレームの一番下の連結孔と、前記２の縦フレームの一番上の連結孔とに、横フレームの２つのジョイントピンをそれぞれ嵌め込むことで、前記１の縦フレームと前記２の縦フレームと前記横フレームとを連結することを特徴とする請求項１記載の組立式家具。
【考案の詳細な説明】
【技術分野】
【０００１】
本考案は、金属製のフレームを基本パーツとし、比較的自由に組み替えが可能な組立式家具に関するものである。
【背景技術】
【０００２】
金属製のフレームを基本パーツとし、ユーザ自身が比較的自由に組立て及び組み替えを行うことが可能な組立式家具は、例えば下記［特許文献１］に示すように、各社から様々なものが商品化されている。
【先行技術文献】
【特許文献】
【０００３】
【特許文献１】特開平０９−２３８７９０号公報
【考案の概要】
【考案が解決しようとする課題】
【０００４】
しかしながら、従来の組立式家具はビス、ナット等の連結部材を用いて連結するものが多く、不慣れなユーザにとっては扱い難いものであった。また、従来の組立式家具は連結部材が露出するためデザイン性に欠けるものであった。
【０００５】
本考案は上記事情に鑑みてなされたものであり、連結部材を用いずに簡単に組立てが可能な組立式家具を提供することを目的とする。
【課題を解決するための手段】
【０００６】
本考案は、
（１）２つの長尺面３２を有する断面略Ｌ字型の縦フレーム３０と、前記縦フレーム３０と連結する横フレーム４０と、を有する組立式家具において、
前記縦フレーム３０は、
前記２つの長尺面３２の長辺が内側に折り返されて構成された折返し面３４と、
前記折返し面３４の長辺方向に沿って等間隔に形成され、大径部３６ａと小径部３６ｂとを備えた連結孔３６と、を有し、
前記横フレーム４０の両端には、短辺方向に沿って前記連結孔３６と同じ間隔で形成された２つのジョイントピン４２をそれぞれ有し、
前記ジョイントピン４２はピン頭部４２ａと前記小径部３６ｂと略同等径のピン首部４２ｂとを備え、
前記ピン頭部４２ａを前記連結孔３６の大径部３６ａから挿入し、下方に押圧することで前記ピン首部４２ｂを前記小径部３６ｂに嵌め込み、これにより前記縦フレーム３０と前記横フレーム４０とを連結するとともに、前記ピン頭部４２ａは前記折返し面３４と前記長尺面３２との間隙に位置して外面に露出しないことを特徴とする組立式家具５０を提供することにより、上記課題を解決する。
（２）縦フレーム３０を縦方向に連結する際に、上側の１の縦フレーム３０ａと下側の２の縦フレーム３０ｂとの間に連結ジョイント２０を嵌入し、前記１の縦フレーム３０ａの一番下の連結孔３６’と、前記２の縦フレーム３０ｂの一番上の連結孔３６’’とに、横フレーム４０の２つのジョイントピン４２をそれぞれ嵌め込むことで、前記１の縦フレーム３０ａと前記２の縦フレーム３０ｂと前記横フレーム４０とを連結することを特徴とする上記（１）記載の組立式家具５０を提供することにより、上記課題を解決する。
【考案の効果】
【０００７】
本考案に係る組立式家具は、縦フレームの内側折返し面に形成された連結孔に横フレームのジョイントピンを嵌め込むことで両フレームの連結を行う。このため、連結部材を用いずに組立式家具の組立を簡単に行うことができる。また、ジョイントピンは折返し面と長尺面との間に位置し外面に露出しないため、優れた外観デザインを有することができる。
【図面の簡単な説明】
【０００８】
【図１】本考案に係る組立式家具の縦フレームを説明する図である。
【図２】本考案に係る組立式家具の横フレームを説明する図である。
【図３】本考案に係る組立式家具の連結方法を説明する図である。
【図４】本考案に係る組立式家具の一例を示す図である。
【図５】本考案に係る縦フレームの縦方向の連結を説明する図である。
【図６】本考案に係る縦フレームの横方向の連結を説明する図である。
【考案を実施するための形態】
【０００９】
本考案に係る組立式家具の実施の形態について図面に基づいて説明する。図１は本考案に係る組立式家具５０の縦フレーム３０を示す図である。図１に示す縦フレーム３０は金属製の長尺板を長辺方向に屈曲して形成したものであり、略直角に屈曲して形成された２つの長尺面３２と、長尺面３２の長辺を更に内側に折り返して形成した折返し面３４とを有している。よって、縦フレーム３０の断面は、略直角に屈曲した２つの長尺面３２とこれらの折返し面３４とにより略Ｌ字型を呈している。また、折返し面３４には縦フレーム３０の長辺方向に沿って複数の連結孔３６が等間隔Ｌで形成されている。そして、連結孔３６の上側は円形状の大径部３６ａとなっており、下側が大径部３６ａよりも穴寸法の小さいスリット状の小径部３６ｂとなっている。
【００１０】
また、図２（ａ）は組立式家具５０を構成する横フレーム４０の斜視図である。また、図２（ｂ）は横フレーム４０の側面図である。図２に示す横フレーム４０は、その両端にそれぞれ２つのジョイントピン４２を有している。ジョイントピン４２は横フレーム４０の短辺方向に沿って形成され、その間隔は連結孔３６と等しい間隔Ｌである。また、ジョイントピン４２は連結孔３６の大径部３６ａと略同等もしくは若干小さい径のピン頭部４２ａと、連結孔３６の小径部３６ｂと略同等径のピン首部４２ｂとを有している。また、横フレーム４０には長辺方向に沿って棚受け部４４が形成されている。
【００１１】
次に、縦フレーム３０と横フレーム４０との連結方法を図３を用いて説明する。尚、図３及び後述の図５においては、横フレーム４０に隠れる連結部分を図示するために横フレーム４０を透過状態で図示する。
【００１２】
縦フレーム３０と横フレーム４０との連結方法は、先ず、図３（ａ）に示すように、横フレーム４０の２つのジョイントピン４２のピン頭部４２ａを、縦フレーム３０の連結孔３６の大径部３６ａにそれぞれ挿入する。尚、前述のようにピン頭部４２ａの径は大径部３６ａと略同等もしくは若干小さく、またジョイントピン４２の間隔は連結孔３６の間隔と等しい間隔Ｌであるため、横フレーム４０の２つのジョイントピン４２は縦フレーム３０の２つの連結孔３６に同時に挿入することができる。
【００１３】
次に、ジョイントピン４２を連結孔３６の奥まで挿入した上で、横フレーム４０を下方に押圧する。これにより、図３（ｂ）に示すように、２つのジョイントピン４２のピン首部４２ｂが連結孔３６の小径部３６ｂに嵌め込まれる。前述のようにピン首部４２ｂの径は連結孔３６の小径部３６ｂと略同等であるため、ピン首部４２ｂと小径部３６ｂとは十分な強度で係合し、これにより、縦フレーム３０と横フレーム４０とは十分な強度で連結される。尚、本考案に係る組立式家具５０では、縦フレーム３０と横フレーム４０との連結を２つのジョイントピン４２を用いて２点で行うため、縦フレーム３０と横フレーム４０とを常に略直角に連結することができる。
【００１４】
また、連結孔３６は長尺面３２を内側に折り返した折返し面３４に形成されているため外面に露出することはない。また、連結状態においてピン頭部４２ａは折返し面３４と長尺面３２との間隙に位置し、これも外面に露出することはない。よって、本考案に係る組立式家具５０は連結部分が外面に露出せず、優れたデザイン性を有することができる。尚、縦フレーム３０と横フレーム４０との連結状態の解除は、横フレーム４０を下方から軽く叩くことでピン首部４２ｂを小径部３６ｂから外し、フリー状態となったピン頭部４２ａを大径部３６ａから向き取ることで行う。
【００１５】
次に、組立式家具５０の一例を図４に示す。尚、本考案に係る組立式家具５０は、後述の連結ジョイント２０、連結クリップ１８等の部材を用いて、ユーザが様々な形態に組み替えることが可能である。よって、その形態は図４に示すものに限定されるものではない。
【００１６】
図４に示す組立式家具５０は、２本の長尺横フレーム４０ａと２本の短尺横フレーム４０ｂとで構成される長方形の棚枠が、４本の縦フレーム３０間に３段形成されている。そして、棚枠を構成する横フレーム４０（長尺横フレーム４０ａ、短尺横フレーム４０ｂ）の棚受け部４４に棚板１０を嵌め込むことで、３段の棚板１０を備えた組立式家具５０となる。尚、長尺横フレーム４０ａの中程には補強フレーム連結部１４を設け、例えば線材を用いた補強フレーム１２を対向する２本の長尺横フレーム４０ａの間に設置可能としても良い。この構成によれば、組立式家具５０の強度を更に向上させることができる。
【００１７】
次に、連結ジョイント２０を用いた縦フレーム３０の縦方向の連結方法を図５を用いて説明する。この連結ジョイント２０は上下方向に伸びたジョイント部２２と、両ジョイント部２２の間に位置するキャップ部２４とで主に構成されている。そして、縦フレーム３０を縦方向に連結する際には、図５（ａ）に示すように、連結ジョイント２０の一方のジョイント部２２を上側の１の縦フレーム３０ａの下端の折返し面３４と長尺面３２との間隙に嵌入する。また、他方のジョイント部２２を下側の２の縦フレーム３０ｂの上端の折返し面３４と長尺面３２との間隙に嵌入する。尚、連結ジョイント２０を嵌入した状態において、１の縦フレーム３０ａの一番下に位置する連結孔３６’から、２の縦フレーム３０ｂの一番上に位置する連結孔３６’’までの距離、即ち図５（ａ）におけるＬ１＋Ｌ２＋Ｌ３の距離は連結孔３６の間隔と等しい距離Ｌとなっている。
【００１８】
次に、上側の縦フレーム３０ａの一番下の連結孔３６’の大径部３６ａと、下側の縦フレーム３０ｂの一番上の連結孔３６’’の大径部３６ａとに、横フレーム４０の２つのジョイントピン４２のピン頭部４２ａをそれぞれ挿入する。前述のように、このときの連結孔３６’から連結孔３６’’までの距離はジョイントピン４２の間隔と同じ間隔Ｌであるため、横フレーム４０の２つのジョイントピン４２は上下縦フレーム３０ａ、３０ｂの上下端の連結孔３６’、３６’’に同時に挿入可能である。次に、横フレーム４０を下方に押圧する。これにより、図３（ｂ）に示すように、上方のジョイントピン４２が縦フレーム３０ａの連結孔３６’に嵌め込まれ、下方のジョイントピン４２が縦フレーム３０ｂの連結孔３６’’に嵌め込まれる。これにより、上側の縦フレーム３０ａと下側の縦フレーム３０ｂと横フレーム４０とが連結される。
【００１９】
尚、縦フレーム３０は横方向にも連結が可能である。縦フレーム３０の横方向への連結は、例えば図６に示す連結クリップ１８を用いる。連結クリップ１８は内側に付勢された爪部１６を備えており、この爪部１６を横に並べた２本の縦フレーム３０の連結孔３６に嵌め込むことで、縦フレーム３０を横方向に連結する。
【００２０】
以上のように、本考案に係る組立式家具５０は、縦フレーム３０と横フレーム４０との連結を、横フレーム４０に形成されたジョイントピン４２を用いてワンタッチで行うことができる。また、縦フレーム３０同士の連結も横フレーム４０もしくは連結クリップ１８等を用いてワンタッチで行うことができる。これにより、組立式家具５０の組み立てを簡単に行うことができる。また、連結孔３６は長尺面３２を内側に折り返した折返し面３４に形成されているため外面に露出することはない。また、連結状態においてピン頭部４２ａは折返し面３４と長尺面３２との間隙に位置し、これも外面に露出することはない。このため、本考案に係る組立式家具５０は、従来の組立式家具と比較して高級感のある優れたデザイン性を有することができる。
【００２１】
尚、本例の縦フレーム３０、横フレーム４０、連結孔３６、ジョイントピン４２等の形状は一例であり、本考案は本考案の要旨を逸脱しない範囲で変更して実施することが可能である。
【符号の説明】
【００２２】
３０    縦フレーム
３２    長尺面
３４    折返し面
３６    連結孔
３６ａ  大径部
３６ｂ  小径部
４０    横フレーム
４２    ジョイントピン
４２ａ  ピン頭部
４２ｂ  ピン首部
５０    組立式家具
【図１】
0003178587.tif 000003
【図２】
0003178587.tif 000004
【図３】
0003178587.tif 000005
【図４】
0003178587.tif 000006
【図５】
0003178587.tif 000007
【図６】
0003178587.tif 000008